(57)【要約】【課題】精米、玄米等を品種や産地ごとに任意の袋体に詰め、しかもその特徴および／または特性のデータを袋体の適所にグラフ表示したものである。【解決手段】所定単位分量の精米、玄米、または精米、玄米をベースとし麦、穀物、低カロリー素材（コンニャク類）、海草類、茸頬を適量比率でブレンドしたものを品種や産地ごとに任意の袋体１に詰め、その特徴および／または特性のデータ５を袋体１の適所にグラフ表示したことを特徴とする生米等入り小袋。【選択図】図１
0003125362.tif 000002
【実用新案登録請求の範囲】
【請求項１】
所定単位分量の精米、玄米、または精米、玄米をベースとし麦、穀物、低カロリー素材、海草類、茸頬を適量比率でブレンドしたものを品種や産地ごとに任意の袋体に詰め、その特徴および／または特性のデータを袋体の適所にグラフ表示したことを特徴とする生米等入り小袋。
【請求項２】
袋体が、複数の精米、玄米、または精米、玄米をベースとし麦、穀物、低カロリー素材）、海草類、茸頬を適量比率でブレンドしたものを、別個に収納する複数の収納部を形成してなることを特徴とする請求項１に記載の生米等入り小袋。
【請求項３】
精米、玄米等の特徴が、銘柄、産地、特性データ、数量等からなることを特徴とする請求項１に記載の生米等入り小袋。
【請求項４】
精米、玄米等の特性データが、硬さ、粘り、甘味、色合い等からなることを特徴とする請求項１に記載の生米等入り小袋。
【請求項５】
所定単位分量の精米、玄米、または精米、玄米をベースとし麦、穀物、低カロリー素材、海草類、茸頬を適量比率でブレンドしたものを品種や産地ごとに任意の袋体に詰め、その特徴および／または特性のデータを袋体の適所にグラフ表示するとともに、複数の袋体を詰め合わせたことを特徴とする生米等入り小袋セット。
【請求項６】
複数の袋体が、それぞれ陳列の便宜のために縦長に構成され、あるいは吊り下げ用のフック穴を一端に形成されていることを特徴とする請求項４に記載の生米等入り小袋セット。
【考案の詳細な説明】
【技術分野】
【０００１】
この考案は、下記のような特徴を備えた生米等入り小袋および生米等入り小袋セットを提供しようとするものである。
（１）合単位（製品としては最小０．５合〜最大１０合）で梱包されており、必要最小限の購入および使用（炊飯）ができ、かつ保管の場合も品質を長期間保つことが可能である。
（２）米の特性を数値により表示してあることから好み、調理目的別に購入しやすい。
（３）小単位で購入可能なため、さまざまな品種、産地の選択ができ、またブレンドしやすい。
（４）贈答用として用いやすい。
【背景技術】
【０００２】
従来、精米等は、合成樹脂製等の袋体に２ｋｇないし１０ｋｇ位の単位で詰められて生米入り米袋（以下米袋という）として売られているのが大半であった。これを買って炊飯する場合、使用する精米の量は計量器付き米容器や炊飯用計量カップ（以下計量カップという）で量って炊飯釜に入れていた。
しかしながら、開封した後は精米が外気に触れているため、長期間置いておくと乾燥して食味が落ちる心配や、夏場などは虫がわかないよう対策を講じる必要もあった。
【０００３】
また銘柄米を試食して味見をしようと思っても、試食に適する量の米袋は販売されていないため、試食には多すぎる量の米袋を買うか、試食する気がそがれ、諦めるしかなかった。その上銘柄米は地域的に片寄って販売されており、全国に多種類存在する銘柄米を口にすることは困難な状況でもあり、いずれにしても様々な銘柄米を試食しようとするには不便であった。
またキャンプなど戸外で炊飯しようとする時は、前もって大体の使用精米の分量を容器等にいれる等の準備が必要であり、それも戸外で使用するため汚れないよう注意が必要であった。
【０００４】
そこで、実開平６−６５２６５号公報（特許文献１参照）には、炊飯用計量カップ１カップ分量の精米、洗浄済み精米または玄米等の生米を任意の袋体に詰め閉じてなる生米入り米袋が提案されている。
同時に、任意の銘柄米別の銘柄米小米袋を２種類以上任意数別の容器に詰め合わせることについても、上述した実開平６−６５２６５号公報（特許文献１参照）に開示されている。
【特許文献１】実開平６−６５２６５号公報
【考案の開示】
【考案が解決しようとする課題】
【０００５】
しかしながら、せっかく銘柄米を小袋に詰めても、はたしてその銘柄米がどのような特徴や特性を備えているのかはほとんどの消費者にとっては不明であり、どのような食し方に適しているのかが分からないため、せいぜい試食する程度にしか利用することができない。
【０００６】
そこでこの考案の生米等入り小袋および生米等入り小袋セットは、精米、玄米等を品種や産地ごとに任意の袋体に詰め、しかもその特徴および／または特性のデータを袋体の適所にグラフ表示したものである。
そうすることによって、その銘柄米がどのような特徴や特性を備えているのかが簡単に消費者に把握することができ、その銘柄米に適した種々の食し方で当該銘柄米を食することができるようになるのである。
【課題を解決するための手段】
【０００７】
上記目的を達成するためこの考案の生米等入り小袋は、所定単位分量の精米、玄米、または精米、玄米をベースとし麦、穀物、低カロリー素材、海草類、茸頬を適量比率でブレンドしたものを品種や産地ごとに任意の袋体に詰め、その特徴および／または特性のデータを袋体の適所にグラフ表示したことを特徴とするものである。
【０００８】
この考案の生米等入り小袋が、前記袋体が、複数の精米、玄米、または精米、玄米をベースとし麦、穀物、低カロリー素材、海草類、茸頬を適量比率でブレンドしたものを、別個に収納する複数の収納部を形成してなることをも特徴とするものである。
【０００９】
この考案の生米等入り小袋はまた、前記精米、玄米等の特徴が、銘柄、産地、特性データ、数量等からなることをも特徴とするものである。
【００１０】
この考案の生米等入り小袋は、前記精米、玄米等の特性データが、硬さ、粘り、甘味、色合い等からなることをも特徴とするものである。
【００１１】
次に、この考案の生米等入り小袋セットは、前記所定単位分量の精米、玄米、または精米、玄米をベースとし麦、穀物、低カロリー素材、海草類、茸頬を適量比率でブレンドしたものを品種や産地ごとに任意の袋体に詰め、その特徴および／または特性のデータを袋体の適所にグラフ表示するとともに、複数の袋体を詰め合わせたことを特徴とするものである。
【００１２】
この考案の生米等入り小袋セットは、前記複数の袋体が、それぞれ陳列の便宜のために縦長に構成され、あるいは吊り下げ用のフック穴を一端に形成されていることをも特徴とするものである。
【考案の効果】
【００１３】
（1）この考案は前述のように生米等を利用する時、一回に利用する量を消費者が購入できるようにしたものである。
（2）この考案は前述のように生米等の保管時、従来品より長期間品質を保つことができるようにしたものである。
（3）この考案は前述のように生米等を、特徴や特性に応じて好みにより選択しやすくしたものである。
（4）この考案は前述のように生米等の販売において、陳列棚に複数、複数品種を陳列しやすくしたものである。
【考案を実施するための最良の形態】
【００１４】
以下この考案の生米等入り小袋および生米等入り小袋セットの実施の形態を図面に基いて詳細に説明する。
図１（ａ），（ｂ），（ｃ），（ｄ）は生米等入り小袋の実施例における、生米の平均的な数値とその詰められた製品の数値を比較したグラフ、図２は陳列に適するように縦長とした小袋の例を示す説明図、図３（ａ），（ｂ），（ｃ）は陳列に適するように上端にフック穴を形成した小袋の例を示す説明図、図４は複数の収納部を設けた袋体の例を示す斜視図、図５は例えば品種や産地ごとの複数の袋体を詰め合わせた生米等入り小袋セットの１例を示す概略図である。
【００１５】
図において生米等入り小袋は、例えば裏をビニール樹脂でコーティングした紙製、ビニール系合成樹脂製等からなる図２のような縦長の袋体１を用いている。もちろん、長期保存を可能とするため、真空パック、不活性ガスパック、安定剤などを用いた袋体１であってもよい。
このような袋体１に、生米類〔精米、玄米、または精米、玄米をベースとし麦、穀物、低カロリー素材（コンニャク類）、海草類、茸頬を適量比率でブレンドしたもの〕２を１計量カップ分（１合：約１５０ｇ）を詰め、袋口３を融着によって閉じて小袋としたものである。
上記袋体１には、その適所に銘柄や産地、特性データ、数量等が表記されており、消費者は銘柄や産地、特性データ、数量等をもとに生米類２を適宜選択して購入することができる。
また上記袋体１としては図３（ａ），（ｂ），（ｃ）のように、図２と同様にその適所に生米類２の銘柄や産地、特性データ、数量等が表記され、かつその上端の袋口３部分には陳列に適するようにフック穴４を形成したものを試用することもでき、消費者は店舗において吊下げて陳列した状態の小袋の中から、銘柄や産地、特性データ、数量等をもとに適宜生米類２を選択して購入することができる。
【００１６】
この考案の生米等入り小袋は図１のように、所定単位分量の生米類２を品種や産地ごとに任意の袋体１に詰め、その特性データを袋体１の適所にグラフ表示したことをも特徴とするものである。
特性データ５としては、例えば硬さ、粘り、甘味、色合い等が挙げられる。図１（ａ）は、縦軸に硬さと色合いを、横軸に粘りと甘味を配置した円グラフである。この円グラフでは、標準米と当米とを実線および破線で表わしている。
また図１（ｂ），（ｃ），（ｄ）はそれぞれ、縦軸に硬さと粘り、甘味を配置して基準（標準米）と比較するグラフである。もちろん、棒グラフや線グラフ等で表わすことができるのはいうまでもない。
【００１７】
この考案の生米等入り小袋は、図４のように前記袋体１に複数の収納部６を形成し、複数の精米、玄米、または精米、玄米をベースとし麦、穀物、低カロリー素材（コンニャク類）、海草類、茸頬を適量比率でブレンドしたものを、別個に収納するようにすることもできる。
例えば、精米に玄米や精麦を組み合わせて袋詰めしたり、精米等と調味料やかやく類を組み合わせて袋詰めすることができる。
【００１８】
図５においてこの考案の生米等入り小袋セットは、所定単位分量の精米、玄米、または精米、玄米をベースとし麦、穀物、低カロリー素材（コンニャク類）、海草類、茸頬を適量比率でブレンドしたものを品種や産地ごとに任意の袋体１に詰め、その特徴および／または特性のデータを袋体１の適所にグラフ表示するばかりでなく、複数の袋体１を詰め合わせたことを特徴としている。
図において１１は、生米等入り小袋を複数包装するための例えばダンボール製の箱で、例えば品種や産地ごとの複数の袋体を箱１１内に詰め合わせた状態を示している。したがって、品種（銘柄）や産地等をもとに適宜選択して包装し、あるいは選択して購入することにより、消費者は利用に際して品種（銘柄）や産地等をもとに適宜選択して消費することができるのである。
【００１９】
この考案の生米等入り小袋の内容量の生米１計量カップ分は、電気炊飯器等の炊飯釜に印してある１目盛り分に相応するものとすることができ、計量器付き米容器や計量カップ等を使用することなく、炊飯釜の望む目盛り分と同数の小袋を開封し、電気炊飯器等の釜に入れるだけの手軽さで計量が済むことになる。
小袋の内容量が通常の最小消費単位でかつ袋体に詰めて密閉してあるため、消費つまり食べる時以外は生米が外気に接することが無く、長期間放置しておいても生米に夏場などでも虫がわかず、また乾燥などで味が落ちることがない等の利点が生まれる。
主婦にとっては虫対策を講ずることもなく、また余り生米を消費しない独身者や老人等の層にとっても実用価値が大きいものであり、味重視の時代に合った考案ということができる。
また従来方法では入れた生米分量を勘違いすることがあるが、この考案は上述の通り最小消費単位のため、開封して残った空小袋を数えればこのような勘違いも無くなり、これから拡大する老人社会には打って付けの商品と思われる。
【００２０】
従来の米袋の態様では通常２ｋｇ以上で売られていることや、銘柄米は種々あっても地域的に片寄って出回っているため、試食してみたいと思っていても食する機会がほとんどなかった。
しかし種々銘柄米を小袋にし、何種類かの銘柄米を同一容器に詰めて販売することにより、販売のリスクも減って分散させることができ、様々な銘柄米が従来より地域的片寄りなく出回ることが期待できる。また、消費者においては試食にも好適であり、その機会も増えることが期待される。
【００２１】
また小袋のため小容量の容器設定が可能となり、袋や容器等を凝ったものにして種々銘柄米を詰め合わせれば贈答用にすることも可能となり、従来の米袋のイメージから抜け出した新鮮な商品群の誕生が期待できる。
さらに、生米の特徴および／または特性のデータを袋体１の適所にグラフ表示してあるので、食する調理に合わせた生米を選択して炊飯することができ、より美味しく食することができるようになった。
すなわち、従来における購入時においての選択方法は、米袋に記入してある品種、産地、精米や年度以外にはなかった。つまり品種や産地のイメージで選択するが同品種、同産地であっても食味は一様ではなく、客観的な特性（炊飯したときの硬さ、粘り、甘味、色合い等）表示がなかったのである。そのため好みの食味でないものや目的外のものを購入してしまう場合があったが、この考案においてはそのようなミスマッチを解消することができるのである。
【産業上の利用可能性】
【００２２】
この考案は上記の様々な利点や用途拡大の可能性を考えれば、米市場の活性化や生米の需要拡大、開拓に好適な商品である。
【図面の簡単な説明】
【００２３】
【図１】（ａ），（ｂ），（ｃ），（ｄ）は生米等入り小袋の実施例における、生米の平均的な数値とその詰められた製品の数値を比較したグラフである。
【図２】陳列に適するように縦長とした小袋の例を示す説明図である。
【図３】（ａ），（ｂ），（ｃ）は陳列に適するように上端にフック穴を形成した小袋の例を示す説明図である。
【図４】複数の収納部を設けた袋体の例を示す斜視図である。
【図５】例えば品種や産地ごとの複数の袋体を詰め合わせた生米等入り小袋セットの１例を示す概略図である。
【符号の説明】
【００２４】
１  袋体
２  生米類
３  袋口
４  フック穴
５  特性データ
６  収納部
１１  箱
【図１】
0003125362.tif 000003
【図２】
0003125362.tif 000004
【図３】
0003125362.tif 000005
【図４】
0003125362.tif 000006
【図５】
0003125362.tif 000007